(57)【要約】【課題】交信を行う際の設定操作の煩雑さを解消できる無線通信装置を提供する。【解決手段】本発明の無線通信装置１００は、デジタル化およびパケット化された音声信号を用いて通信を行う無線機１と、無線機１と相互に通信可能であり、かつインターネット６を介して地図データサーバ９のサイトにアクセスすると共に、地図データサーバ９からダウンロードした地図情報を画面に表示できる情報端末７とで構成されている。情報端末７は、無線機１またはレピータの位置情報に基づいて、地図データサーバ９から無線機１またはレピータの周辺の地図情報をダウンロードして画面に表示すると共に、表示された画面内に存在する無線機１またはレピータのうち、操作者により指定された無線機１またはレピータに関するデータを無線機１に送信する。【選択図】図１
2015041932.tif 000002
【特許請求の範囲】
【請求項１】
デジタル化およびパケット化された音声信号を用いて通信を行い、かつパケットのヘッダ部に送信元および送信先、送り元レピータおよび送り先レピータのそれぞれのコールサインを示すデータが付加されている無線機と、
前記無線機と相互に通信可能であり、かつインターネットを介して地図データサーバのサイトにアクセスすると共に、当該地図データサーバからダウンロードした地図情報を画面に表示できる情報端末と、で構成された無線通信装置であって、
前記情報端末は、前記無線機またはレピータの位置情報に基づいて、前記地図データサーバから当該無線機またはレピータの周辺の地図情報をダウンロードして画面に表示すると共に、
表示された画面内に存在する無線機またはレピータのうち、操作者により指定された無線機またはレピータに関するデータを前記無線機に送信することを特徴とする無線通信装置。
【請求項２】
前記情報端末は、前記画面に表示された地図情報のうち、前記無線機またはレピータが存在する位置に識別用のアイコンを表示する、請求項１に記載の無線通信装置。
【請求項３】
前記無線機は、自局の位置に関する情報を取得する位置情報取得手段を備えており、
前記無線機の制御部は、前記位置情報取得手段が取得した位置情報を前記情報端末に送信し、
前記情報端末の制御部は、前記無線機の位置情報に基づき、当該無線機が存在する位置の周辺の地図情報を、前記地図データサーバから入手する、請求項１または２に記載の無線通信装置。
【請求項４】
前記情報端末の記憶部には、所定の地域に設置された前記レピータの位置情報を含むテーブルが格納されており、
前記情報端末の制御部は、画面に表示された地図情報に含まれるレピータの位置情報を前記テーブルから読み出し、当該位置情報に基づいて、画面に表示された地図情報のうち前記レピータが存在する位置にアイコンを表示する、請求項２に記載の無線通信装置。
【請求項５】
前記レピータが同一の位置に複数存在する場合、操作者が画面に表示されたレピ−タのアイコンを選択したとき、前記制御部は、前記複数のレピータに関するデータをウィンドウに表示する、請求項４に記載の無線通信装置。
【請求項６】
前記情報端末の記憶部には、前記無線機の交信の相手局の位置情報を含むリストが格納されており、
前記情報端末の制御部は、操作者の選択に従って前記リストから相手先の無線機の位置情報を読み出し、その位置情報に基づき、当該無線機が存在する位置の周辺の地図情報を、前記地図データサーバから入手する、請求項２に記載の無線通信装置。
【請求項７】
前記テーブルおよびリストは、前記無線機の記憶部にも格納されており、
前記情報端末の制御部は、前記リストに追加される相手局のデータを、前記無線機に送信し、
前記無線機の制御部は、受信した相手局のデータを、前記記憶部に格納されたリストに追加する、請求項６に記載の無線通信装置。
【請求項８】
前記情報端末はタッチパネル式の入力表示部を備え、当該入力表示部の画面に前記地図情報とアイコンが表示される、請求項２ないし７のいずれかに記載の無線通信装置。
【請求項９】
前記無線機および情報端末はそれぞれ通信モジュールを備えており、前記無線機および情報端末は、当該通信モジュールを介して無線で相互に通信を行う、請求項１ないし８のいずれかに記載の無線通信装置。
【発明の詳細な説明】
【技術分野】
【０００１】
本発明は、デジタル方式の音声通信を採用した無線通信装置に関する。
【背景技術】
【０００２】
近年、例えばアマチュア無線の世界において、より高速の通信を実現し、またクリアな音声での交信を楽しむために、音声通信のデジタル化とネットワーク化が普及しつつある（例えば、特許文献１参照）。以下、図７を参照して、デジタル方式の音声通信を採用したアマチュア無線システムについて簡単に説明する。
【０００３】
図７に示すアマチュア無線の通信システムにおいては、複数の無線機１（１ａ〜１ｅ）をカバーするエリア２（２ａ、２ｂ）毎にレピータ３（３ａ、３ｂ）が設置されている。図７の例では、レピータ３ａがカバーするエリア２ａに無線機１ａ、１ｂ、１ｃが存在し、レピータ３ｂがカバーするエリア２ｂ内に無線機１ｄ、１ｅが存在する。隣接するレピータ３ａ、３ｂ間は、マイクロ波を使用して音声およびデータが多重化された状態で送信される。
【０００４】
レピータ３ａ、３ｂで結ばれたサービスエリアをゾーン５という。複数のゾーン５（５ａ、５ｂ、５ｃ）の間は、ゲートウェイ４を介してインターネット６で結ばれている。
【０００５】
上述のアマチュア無線システムにおいては、音声信号がパケット化され、かつパケットのヘッダ部に送信先、送信元のコールサイン等を示すデータが付加される。図８を参照して、無線機１の送信部で生成されるパケットの構成を説明する。パケットの構成は、デジタル方式の音声通信の一連のデータを、どのような順番でどのようにまとめて送信するかを示したものである。
【０００６】
パケットＰａはヘッダ部Ｐｈとデータ部Ｐｄとで構成されている。ヘッダ部Ｐｈには、同期信号ｈ１、フラグｈ２、送り先レピータのコールサインｈ３、送り元レピータのコールサインｈ４、送信先コールサインｈ５、送信元コールサインｈ６が含まれている。
【０００７】
ヘッダ部Ｐｈのうち同期信号ｈ１は、入力信号の同期をとり、またこれより信号であることを表す信号である。フラグｈ２は、レピータ経由通信、直接通信、レピータ制御信号等を表すデータであり、複数ビットのデータで構成されている。
【０００８】
送り先レピータのコールサインｈ３は、例えば送信先の無線機が属するエリア内のレピータのコールサイン、送り元レピータのコールサインｈ４は送信元の無線機が属するエリア内のレピータのコールサインである。また送信先コールサインｈ５は、送信する相手局の無線機のコールサイン、送信元コールサインｈ６は、自局の無線機のコールサインである。これらのコールサイン（ｈ３〜ｈ６）は、送信先および送信元の無線機、更には無線信号を中継するレピータを識別するための識別子としての役割を果たす。なお送信先コールサインｈ５については、不特定局を呼び出すＣＱとしてもよい。
【０００９】
データ部Ｐｄは、デジタル化された音声フレームｄ１と、小さな静止画やメモ等のデータを含むデータフレームｄ２が交互に配置され、最後にパケットの終わりを示す終話フレームｄ３が付加されている。
【００１０】
上述のアマチュア無線システムにおいては、音声信号がパケット化され、かつパケットのヘッダ部に送信先、送信元のコールサイン等を示すデータが付加されたことに伴い、以下に示すような、アナログ音声通信ではできなかった様々な形態の交信を実現できる。
（１）各エリア２内での無線機１同士の直接の交信
（２）各エリア２内での無線機１同士のレピータ３を介した交信
（３）同一ゾーン５内の異なるエリア２の無線機１同士のレピータ３を介した交信
（４）異なるゾーン５の無線機１同士のゲートウェイ４とインターネット６を介した交信
【先行技術文献】
【特許文献】
【００１１】
【特許文献１】特開２００６−１８６８１６号公報
【発明の概要】
【発明が解決しようとする課題】
【００１２】
上述したようなアマチュア無線システムにおいては、交信を行う際に、送信先および送信元のコールサインと共に、送り先および送り元のレピータのコールサインを設定する必要があるが、この設定操作に関連して改善が要望されている。
【００１３】
第１に、従来は、予め不揮発性メモリにレピータの位置情報とコールサインを含むテーブルを格納しておき、通信を開始する前にユーザがそのテーブルを読み出し、その中から対象となるレピータのコールサインを選択していた。
【００１４】
レピータのリストを読み出した場合、レピータを区別するためにグループネームやサブネームが、コールサインと共にディスプレイに表示される。レピータのリストには、レピータの設置場所を示す情報（緯度、経度）が含まれているが、その位置情報は数値で表示されるために、レピータがどこに設置されているかを視覚的に把握することは難しい。
【００１５】
第２に、上述のアマチュア無線システムにおいては、通信の相手局がＧＰＳ（Global Positioning System）レシーバを備えている場合、相手局の位置情報（緯度・経度）をパケットのデータ部に含めて送ることができる。このため、相手局からの位置情報を受信した場合、自局では受信履歴データによって相手局の位置情報（経度・緯度）を確認することができる。
【００１６】
しかし、レピータの場合と同様に、位置情報（経度・緯度）は、画面に数値で表示されるため、相手局がどこにいるかを視覚的に把握することは難しい。
【００１７】
第３に、上述のアマチュア無線システムによる通信においてはコールサインの設定が必須であり、上述したように、自局のコールサイン、最寄のレピータのコールサイン、相手先レピータのコールサインおよび相手局のコールサインを設定する必要がある。従来のアナログ方式の通信の場合、周波数の設定とそれに伴う若干の設定を行えば通信できたが、デジタル方式の無線システムでは、通信の際に行う設定操作が煩雑である。
【００１８】
最近では、簡易設定モードを採用し、コールサインと周波数を関連付けて記憶し、それらをセットで読み出して設定できるようになり、操作が比較的簡便になったが、基本的に設定は文字で表現されたリストから選択する方式を採用しているため、設定の際の煩雑さを解消するには至っていない。
【００１９】
本発明はこのような問題点に鑑みてなされたもので、交信を行う際の設定操作の煩雑さを解消できる無線通信装置を提供することを目的とする。
【課題を解決するための手段】
【００２０】
上記目的を達成するため本発明にかかる無線通信装置は、デジタル化およびパケット化された音声信号を用いて通信を行い、かつパケットのヘッダ部に送信元および送信先、送り元レピータおよび送り先レピータのそれぞれのコールサインを示すデータが付加されている無線機と、
前記無線機と相互に通信可能であり、かつインターネットを介して地図データサーバのサイトにアクセスすると共に、当該地図データサーバからダウンロードした地図情報を画面に表示できる情報端末と、で構成された無線通信装置であって、
前記情報端末は、前記無線機またはレピータの位置情報に基づいて、前記地図データサーバから当該無線機またはレピータの周辺の地図情報をダウンロードして画面に表示すると共に、
表示された画面内に存在する無線機またはレピータのうち、操作者により指定された無線機またはレピータに関するデータを前記無線機に送信することを特徴とする。
【００２１】
ここで、前記情報端末は、前記画面に表示された地図情報のうち、前記無線機またはレピータが存在する位置に識別用のアイコンを表示することが好ましい。
【００２２】
また前記無線機は、自局の位置に関する情報を取得する位置情報取得手段を備えており、
前記無線機の制御部は、前記位置情報取得手段が取得した位置情報を前記情報端末に送信し、前記情報端末の制御部は、前記無線機の位置情報に基づき、当該無線機が存在する位置の周辺の地図情報を、前記地図データサーバから入手することが好ましい。
【００２３】
また前記情報端末の記憶部には、所定の地域に設置された前記レピータの位置情報を含むテーブルが格納されており、
前記情報端末の制御部は、画面に表示された地図情報に含まれるレピータの位置情報を前記テーブルから読み出し、当該位置情報に基づいて、画面に表示された地図情報のうち前記レピータが存在する位置にアイコンを表示することが好ましい。
【００２４】
また前記レピータが同一の位置に複数存在する場合、操作者が画面に表示されたレピ−タのアイコンを選択したとき、前記制御部は、前記複数のレピータに関するデータをウィンドウに表示することが好ましい。
【００２５】
また前記情報端末の記憶部には、前記無線機の交信の相手局の位置情報を含むリストが格納されており、
前記情報端末の制御部は、操作者の選択に従って前記リストから相手先の無線機の位置情報を読み出し、その位置情報に基づき、当該無線機が存在する位置の周辺の地図情報を、前記地図データサーバから入手することが好ましい。
【００２６】
また前記テーブルおよびリストは、前記無線機の記憶部にも格納されており、
前記情報端末の制御部は、前記リストに追加される相手局のデータを、前記無線機に送信し、前記無線機の制御部は、受信した相手局のデータを、前記記憶部に格納されたリストに追加することが好ましい。
【００２７】
また前記情報端末はタッチパネル式の入力表示部を備え、当該入力表示部の画面に前記地図情報とアイコンが表示されることが好ましい。もしくは前記無線機および情報端末はそれぞれ通信モジュールを備えており、前記無線機および情報端末は、当該通信モジュールを介して無線で相互に通信を行うことが好ましい。
【発明の効果】
【００２８】
本発明にかかる無線通信装置では、情報端末の地図表示機能を利用し、自局やレピータの位置を、情報端末の画面に表示された地図によって確認できるため、通信を行う際の心理的な抵抗感を大幅に緩和できる。
【００２９】
更に、情報端末の画面に表示された地図を指触（指でタッチ）するだけで、交信を行う際に必要となるデータを無線機に送信できるため、設定の際の手間を大幅に簡素化できる。
【図面の簡単な説明】
【００３０】
【図１】本発明の実施の形態にかかる無線通信装置の構成を示すブロック図である。
【図２】情報端末の画面に表示された地図情報の一例を示す図である。
【図３】情報端末の記憶部に格納されたレピータの位置情報およびコールサインを含むテーブルの一例を示す図である。
【図４】情報端末の画面の表示例を示す図（その１）である。
【図５】情報端末の画面の表示例を示す図（その２）である。
【図６】情報端末の画面の表示例を示す図（その３）である。
【図７】デジタル方式の音声通信を採用したアマチュア無線システムの構成を示す図である。
【図８】無線機によって送信されるパケットの構成を示す図である。
【発明を実施するための形態】
【００３１】
以下、本発明の実施の形態にかかる無線通信装置について、図面を参照しながら説明する。
【００３２】
＜無線通信装置の構成＞
図１に、デジタル方式による無線通信が可能な本実施の形態にかかる無線通信装置の構成を示す。無線通信装置１００は、前述のアマチュア無線システムに準拠した無線機１と情報端末７とで構成されている。情報端末７は、後述する通信モジュールを介して無線機１と相互に通信できる。
【００３３】
本実施の形態では、情報端末７として、一般にスマートフォンと呼ばれる多機能電話機、もしくはタブレット型のコンピュータを採用している。情報端末７はパーソナルコンピュータと同様に、インターネットを介して各種サイトにアクセスできる機能を備えている。情報端末７は、図に示すように公衆電話網８およびインターネット６を介して地図データサーバ９に接続されている。なお、情報端末７は、公衆電話網８の代わりにＬＡＮ（Local Aria Network）を用いてインターネット６との接続を行ってもよい。
【００３４】
最初に、無線通信装置１００の基本的な機能について説明する。無線機１は、デジタル方式のアマチュア無線システムに準拠しており、前述したように、様々な形態の交信が可能である。無線機１にはＧＰＳレシーバ１０が内蔵されており、人工衛星からの電波を受信して、緯度や経度等の無線機１の位置情報を取得できる。
【００３５】
一方、情報端末７は、無線の基地局８１および公衆電話網８を介してプロバイダ６１と交信できる。プロバイダ６１は、公衆電話網８のユーザである情報端末７に対して、公衆電話網８とインターネット６との接続サービスを提供する。
【００３６】
情報端末７には、地図データサーバ９にアクセスするためのインターネット閲覧ソフト、および地図データサーバ９から送信された地図情報を入力表示部の画面に表示するためのアプリケーションソフトが搭載されている。地図データサーバ９は、情報端末７からの要求に従い、データベース９１に格納された地図情報を読み出して情報端末７に送信する。
【００３７】
無線機１はＧＰＳレシーバ１０で取得した無線機１の位置を示す緯度と経度の情報を情報端末７に送信する。情報端末７は受信した位置情報（緯度・経度）をメモリに一時保管すると共に、公衆電話網８およびインターネット６を介して地図データサーバ９のサイトにアクセスし、無線機１から取得した位置情報（経度・緯度）に基づいて、無線機が存在する位置の周辺の地図情報を要求する。
【００３８】
情報端末７から地図情報の要求を受けた地図データサーバ９は、該当する箇所の地図情報をデータベース９１から読み出して情報端末７に送信する。情報端末７はダウンロードした地図情報を入力表示部７４の画面に表示する。図２に、入力表示部７４の画面に表示された地図情報の一例を示す。図中、画面の中心に表示された丸印のアイコンＭは、無線機１の現在位置を示している。
【００３９】
上述したように、情報端末７は、デジタル方式のアマチュア無線システムにおけるユーザインターフェースの改善を図るものである。情報端末７は、無線機１から提供された位置情報（緯度・経度）または記憶部７５に格納されたレピータ等の位置情報に基づいて、地図データサーバ９から、それらの位置を中心とした周辺の地図情報を取得し、それを画面に表示する。従って、ユーザは無線機１やレピータ３の位置を、地図上で視覚的に、容易に確認できるようになる。
【００４０】
次に、無線通信装置１００を構成する無線機１および情報端末７について説明する。最初に、無線機１の構成と機能を説明する。
【００４１】
無線機１は、ＧＰＳレシーバ１０、音声処理部１１、送受信部１２、制御部１３、通信モジュール１４、操作部１５、記憶部１７および表示部１８で構成されている。音声処理部１１にはマイク１９とスピーカ２０が接続され、送受信部１２には無線通信用のアンテナ１２Ａが接続されている。また通信モジュール１４には情報端末７との間の通信に用いるアンテナ１４Ａが接続されている。
【００４２】
音声処理部１１は、マイク１９から入力されたアナログ音声信号を増幅すると共に、アナログ音声信号をＡ／Ｄ（アナログ／デジタル）変換および符号化して送受信部１２に出力する。また音声処理部１１は、送受信部１２から供給されたデジタル音声信号を復号化およびＤ／Ａ（デジタル／アナログ）変換し、更に増幅した後、スピーカ２０に供給する。
【００４３】
送受信部１２は、音声処理部１１から供給されたデジタル音声信号に無線通信用のヘッダを付すと共に、後述するＰＴＴスイッチ１６の出力に基づいて音声信号を分割し、図８に示す送信用のパケットを生成する。送受信部１２は更に、パケットを構成するデジタルデータで搬送波を変調して高周波信号に変換した後、アンテナ１２Ａから送信する。
【００４４】
また送受信部１２は、アンテナ１２Ａで受信した高周波信号を復調してパケットを再生する。そして再生したパケットからヘッダ部を取り除き、音声データを音声処理部１１に供給する。
【００４５】
制御部１３は無線機１の各部の動作を制御する。図示しないが、制御部１３は演算処理を行うＣＰＵ、ＣＰＵの動作を規定するプログラムを記憶したＲＯＭ、およびＣＰＵのワークメモリとして機能するＲＡＭを備えている。
【００４６】
通信モジュール１４は、通信モジュール７６を介して情報端末７との間で相互通信を行うためのモジュールで、本実施の形態では、サイズおよび消費電力の観点より、BlueTooth（登録商標） に準拠した通信モジュールを採用している。
【００４７】
操作部１５は、種々の入力やユーザの指示を制御部１３に伝達する。操作部１５にはＰＴＴ（Push To Talk）スイッチ１６が含まれている。ＰＴＴスイッチ１６は、押す（オンにする）と送受信部１２が送信側に切り替わってアンテナ１２Ａから送信が行われ、放す（オフにする）と、送受信部１２が受信側に切り替わり、受信した音声信号ならびにデータ信号の復調が行われる。
【００４８】
記憶部１７はレピータのコールサイン等の通信に必要なデータや交信記録等のデータを格納するもので、本実施の形態では不揮発性メモリで構成している。
【００４９】
記憶部１７には、予め、レピータの設置位置のデータを含むテーブルＴが格納されている。無線機を自動車等の移動体に搭載して移動する場合のように、無線機のユーザが現在属しているエリア２内のレピータ３のコールサインを知らない場合、ユーザは、ＧＰＳレシーバ１０で取得した位置情報と、記憶部１７に格納されたテーブルＴのデータを参照して、最寄のレピータ３のコールサインのデータを読み出す。
【００５０】
図３にテーブルＴの一例を示す。リスト形式のテーブルＴには６種類のデータＡ１〜Ａ６が含まれている。データＡ１はレピータ３が設置されている場所の住所を示す名称である。データＡ２はレピータ３の位置情報であり、緯度を示すデータＬＡＴと経度を示すデータＬＯＮを含んでいる。例えば、Ａ町に設置されたレピータの位置情報は（ＬＡＴ１、ＬＯＮ１）で表される。
【００５１】
データＡ３はレピータ毎に付与されたコールサインである。またデータＡ４、Ａ５およびＡ６は、レピータ３と無線機１との間で通信を行う際の周波数に関するデータであり、Ａ４はダウンリンクの周波数、すなわちレピータ３から無線機１への送信周波数を示す。
【００５２】
アップリンクの周波数、すなわち無線機１からレピータ３への送信周波数は、データＡ４、Ａ５およびＡ６を用いて算出される。データＡ６はダウンリンクの周波数Ａ４とアップリンクの周波数の差分（オフセット）を示し、データＡ５はその差分をシフトする方向を示す。データＡ５が＋の場合、データＡ６の値をデータＡ４の値に加えることにより、またデータＡ５が−の場合、データＡ６の値をデータＡ４の値から引くことにより、アップリンクの周波数が得られる。
【００５３】
図３に示すように、レピータ３の送受信の周波数は、隣接するレピータ間で混信が生じないようにずらして設定されている。例えば、テーブルＴの１段目に示すＡ町のレピータのダウンリンクの周波数はｆｄ１ＭＨｚであり、アップリンクの周波数は（ｆｄ１＋Δｄ）ＭＨｚである。
【００５４】
図１の説明に戻って、表示部１８は液晶ディスプレイ等で構成され、種々のデータを表示するのに用いられる。表示部１８の画面には、無線機１がアマチュア無線信号を受信したこと（呼び出しがあったこと）や、送信元（自局）や送信先(相手局)のコールサイン、ニックネーム等が表示される。
【００５５】
なお、本実施の形態では、位置情報取得手段として無線機１に内蔵されたＧＰＳレシーバ１０を用いているが、外付けのＧＰＳレシーバを用い、ＧＰＳレシーバで取得した位置情報を、インターフェース部を介して制御部１３に転送するようにしてもよい。
【００５６】
次に、無線機１を用いた交信動作について簡単に説明する。以下、代表的なケースとして、図７に示した任意のエリア内の無線機１ａが、異なるエリア内の無線機１ｄを呼び出す場合について説明する。
【００５７】
ユーザは交信に先立ち、無線機１ａの操作部１５を操作して、交信に必要な情報、具体的には、送信元（自局）コールサインや送り元レピータのコールサインを、記憶部１７に格納しておく。そして交信の際、ユーザは無線機１ａの操作部１５を操作し、送信先の無線機１ｄに予め割り当てられたコールサインおよび送り先レピータのコールサインを指定して、呼び出しを指示する。
【００５８】
操作部１５から入力された情報は、制御部１３によって送受信部１２に通知され、制御部１３の指示に従って送受信部１２でパケットが生成される。図８に示したように、パケットＰａのヘッダ部Ｐｈには、送り先レピータ３ｂのコールサインｈ３、送り元レピータ３ａのコールサインｈ４、送信先（相手局）である無線機１ｄのコールサインｈ５、および送信元（自局）である無線機１ａのコールサインｈ６の各情報が含まれる。
【００５９】
送受信部１２で生成され無線信号に変換されたパケットＰａはアンテナ１２Ａから電波として送信される。無線機１ａから送信されたパケットＰａは、指定された経路にあるレピータ３ａ、３ｂによって中継され、無線機１ｄに到達する。
【００６０】
無線機１ｄで受信した無線信号は送受信部１２に供給され、復調されてパケットＰａが再生される。更に、送受信部１２で再生されたパケットＰａからヘッダ部が取り除かれ、音声処理部１１に供給される。
【００６１】
音声処理部１１に供給された音声データは復号化およびアナログの音声信号に変換され、更に増幅された後スピーカ２０から出力され、送信元のユーザの声が再生される。
【００６２】
また送受信部１２で再生されたパケットＰａは制御部１３に供給される。制御部１３は、ＥＣＣ（Error Check Code）チェックなどにより、受信したパケットＰａが有効なパケットであるか否かを判別する。
【００６３】
制御部１３は、有効と判別されたパケットＰａのヘッダ部ＰｈのデータをＲＡＭ（図示せず）に格納すると共に、ヘッダ部Ｐｈの情報を解析する。制御部１３は、解析結果に基づいて、受信したパケットＰａの送信先コールサインや送信元コールサインを表示部１８に表示する。
【００６４】
次に、情報端末７の構成と機能を説明する。情報端末７は、制御部７１、無線通信部７２、音声処理部７３、入力表示部７４、記憶部７５および通信モジュール７６で構成され、それぞれの部材は内部バス７７で相互に接続されている。また無線通信部７２には基地局８１間と無線で交信するアンテナ７２Ａが接続され、音声処理部７３には、音声入力用のマイク７８と音声出力用のスピーカ７９が接続されている。更に、通信モジュール７６には、無線機１の通信モジュール１４との間で無線通信を行うためのアンテナ７６Ａが接続されている。
【００６５】
制御部７１は、図示しないが、演算処理を行うＣＰＵ、ＣＰＵの動作を規定するプログラムを記憶したＲＯＭ、ＣＰＵのワークメモリとして機能するＲＡＭで構成されている。
【００６６】
なお、情報端末７には、パーソナルコンピュータと同様の機能を実現できるようにオペレーティングシステムが搭載されている。また、前述したように、地図データサーバ９にアクセスするためのインターネット閲覧ソフトおよび地図情報処理用のアプリケーションソフトが搭載されている。
【００６７】
更に、情報端末７には、無線機等から入手した位置情報に基づいて地図データサーバ９から必要な地図情報を取得すると共に、画面に表示された地図情報に基づいて、交信に必要なレピータ等の情報を無線機１に送信するためのアプリケーションソフトが搭載されている。
【００６８】
無線通信部７２は、音声処理部７３から入力された音声データや、入力表示部７４から入力された文字や画像等のデータを高周波信号に変換すると共に、アンテナ７２Ａを介して公衆回線網８の基地局８１に送信する。また無線通信部７２は、基地局から送信されたデータを受信すると共に、受信した高周波信号から音声や画像等のデータを取り出して再生する。
【００６９】
音声処理部７３は、マイク７８に入力された操作者の音声信号に基づいて音声データを作成すると共に、無線通信部７２で再生された音声データから音声信号を再生してスピーカ７９から出力する。
【００７０】
入力表示部７４はタッチパネル式の液晶ディスプレイで構成され、画面に文字や数字等の入力キーが表示され、操作者がそれを指触（指でタッチ）することにより、文字や数字が入力される。また入力表示部７４の画面には、インターネットおよび公衆電話網を介してサーバから送られてきた各種サイトの画像が表示される。
【００７１】
記憶部７５は不揮発性メモリで構成されており、携帯電話の動作に必要な各種のプログラム、電話帳等の個人データが格納される。また記憶部７５には、図３に示したレピータのテーブルＴが予め格納されている。
【００７２】
通信モジュール７６は、通信モジュール１４を介して無線機１との間で相互通信を行うもので、無線機１の通信モジュール１４と同様に BlueTooth （登録商標）に準拠した通信モジュールを採用している。
【００７３】
＜情報端末の機能＞
次に、前述の図１および図３、ならびに図４〜図６を参照して、情報端末７で実現できる機能を説明する。図４〜図６に、情報端末７の入力表示部７４に表示される画像を示す。
【００７４】
前述したように、ＧＰＳレシーバ１０で取得した無線機１の位置情報（緯度・経度）は、制御部１３の制御に従い、通信モジュール１４および７６を介して情報端末７の制御部７１に送信される。制御部７１は受信した無線機１の位置情報を記憶部７５に格納する。その後、操作者の指示に従い、制御部７１は、インターネット閲覧ソフトを用いて地図データサーバ９のサイトにアクセスする。
【００７５】
地図データサーバ９は情報端末７の要求に応じ、情報端末７から送られてきた無線機１の位置情報に基づいて、データベース９１からその周辺の地図情報を読み出し、情報端末７に送信する。情報端末７の制御部７１は、地図情報処理用のアプリケーションソフトを用いて、ダウンロードした地図情報に基づいて入力表示部７４の画面に地図を表示する。図４（ａ）に入力表示部７４の画面に表示された地図の一例を示す。画面の中心部には、無線機１の現在位置を示す丸印のアイコンＭが表示されている。
【００７６】
更に制御部７１は、記憶部７５に格納されたテーブルＴを読み出し、レピータ３の設置位置を示す緯度および経度とダウンロードした地図情報の緯度および経度とを比較し、表示された地図に含まれるレピータの位置に四角印のアイコンＲを表示する。これらの一連の処理は、地図情報処理用のアプリケーションソフトを用いて行われる。
【００７７】
図４（ａ）に示すように、情報端末７の画面に表示された地図情報には、無線機１の現在位置を示すアイコンＭとレピータの設置位置を示すアイコンＲが表示されるため、無線機の操作者は、無線機１の現在位置とレピータ３の設置位置を視覚によって簡単に把握できる。
【００７８】
次に、操作者は、地図に表示された複数のレピータのアイコンＲから通信に用いるレピータを選択する。操作者が画面に表示されたレピータのアイコンＲの１つに指触すると、図４（ｂ）に示すようにウィンドウＷ１が開き、そこに、テーブルＴから読み出されたレピータの設置場所を示す名称とコールサインが表示される。更に、地図の位置がシフトして、指触したレピータのアイコンＲが画面の中心に表示される。
【００７９】
操作者が、引き続いてウィンドウＷ１に指触すると、図４（ｃ）に示す画面に遷移してダイアログボックスＤ１が表示される。ダイアログボックスＤ１は、選択されたレピータを送り元レピータとして設定するために用いられる。
【００８０】
ダイアログボックスＤ１の１行目にはレピータの名称が表示される。ダイアログボックスＤ１の２行目に表示された「〔TO〕エリアＣＱ設定」は、そのレピータを用いて不特定多数の人と交信することを意味する。ダイアログボックスＤ１の３行目に表示された「〔FROM〕最寄りレピータ設定」は、そのレピータを送り元レピータとして設定することを意味する。ダイアログボックスＤ１の最下行の「閉じる」のボタンＢ１に指触すると、ダイアログボックスＤ１の画面が閉じて図４（ａ）に示す画面に遷移する。
【００８１】
例えば、操作者が、選択したレピータを送り元レピータとして設定したい場合、ダイアログボックスＤ１の３行目の表示「〔FROM〕最寄りレピータ設定」を指触すると、制御部７１によって、そのレピータのコールサイン等のデータが無線機１の制御部１３に送信される。無線機１の制御部１３は、そのデータを、送り元レピータのデータとして記憶部１７に格納する。
【００８２】
ところで、場所によっては、複数のレピータ３が同一の場所に設置されている場合がある。このような場合におけるレピータの設定について、図５を参照して説明する。
【００８３】
図５（ａ）は図４（ａ）と同一の画面であるが、操作者がレピータのアイコンＲの一つを指触すると、図５（ｂ）に示すウィンドウＷ２が開く。ウィンドウＷ２には、２つのレピータの名称とコールサインが表示されており、この表示から、同じ場所に２つのレピータが設置されていることがわかる。
【００８４】
このような場合、操作者がウィンドウＷ２を指触すると、図５（ｃ）に示す画面に遷移してダイアログボックスＤ２が表示される。このダイアログボックスＤ２はレピータの１つを選択するための用いられるもので、操作者がいずれかのレピータの名称を指触すると、そのレピータについて図４（ｃ）に示すダイアログボックスＤ１が表示される。その後の操作は、図４を用いて説明した場合と同様である。
【００８５】
図４および図５では、送り元レピータを設定する場合について説明したが、次に、図６を参照して、送信先および送り先レピータを設定する場合について説明する。
【００８６】
交信の相手局の無線機１にＧＰＳレシーバ１０が内蔵され、もしくは接続されている場合、データ部に無線機１の位置情報（緯度・経度）が含まれたパケットが送られてくる。そのパケットを受信した無線機１の制御部１３は、その位置情報を、相手局のコールサインや受信履歴のデータと共に、情報端末７の制御部７１に送信する。
【００８７】
相手局に関するデータを受信した制御部７１は、そのデータを記憶部７５に格納すると共に、緯度および経度によって特定される地図上の箇所に、相手局の位置を示す三角のアイコンＹを表示する。図６（ａ）に、地図上に、自局のアイコンＭと相手局のアイコンＹが表示された画面の一例を示す。
【００８８】
操作者が、画面に表示された相手局の詳細を確認したい場合、アイコンＹを指触すると、図６（ｂ）に示すウィンドウＷ３が開く。ウィンドウＷ３には、（設定されている場合）相手局のニックネーム「○○さん」、コールサインおよび交信時刻が表示される。操作者は、表示された内容によって、地図に表示された相手局が誰であるかを確認できる。
【００８９】
相手局の内容について更に詳しく知りたい場合、ウィンドウＷ３を指触すると、図６（ｃ）に示す画面に遷移し、画面にダイアログボックスＤ３が表示される。ダイアログボックスＤ３の各行のうち、１行目の「○○さん」はニックネーム、２行目の「〔TO〕個人局設定」は相手局を送信先として設定することを意味する。
【００９０】
ダイアログボックスＤ３の３行目の「受信履歴を見る」は相手局との受信履歴を確認すること、また４行目の「相手局をメモリに追加登録」は、交信の送信先リストに相手局として登録することを意味する。
【００９１】
受信履歴を見たい操作者が「受信履歴を見る」を指触すると、図６（ｄ）の画面に遷移して、受信履歴が表示される。受信履歴には交信を行った時刻、受信メッセージ、交信を行った際の相手局の位置情報等が含まれる。また操作者が「地図で表示」のボタンＢ２を指触すると、相手局のアイコンＹが中心にある地図が画面に表示される。
【００９２】
操作者が画面に表示された相手局をリストに登録したい場合、図６（ｃ）の画面において、ダイアログボックスＤ３の「相手局メモリに追加登録」を指触すると、図６（ｅ）の画面に遷移してダイアログボックスＤ４が表示される。操作者はネームの欄の相手局のニックネームを記入した後、「追加」のボタンＢ３を指触すると、コールサインを含む相手局のデータがリストに追加登録される。
【００９３】
操作者が図６（ｂ）に表示された個人局と交信を行いたい場合、図６（ｃ）のダイアログボックスＤ３を開いて「〔TO〕個人局設定」の枠を指でタッチすると、制御部７１によって、コールサインを含む相手局のデータが無線機１の制御部１３に送信され、送信先のデータとして記憶部１７に格納される。
【００９４】
また図６の地図には表示されていないが、送信先として設定した個人局のアイコンＹの近くにレピータのアイコンＲがある場合、図４を用いて説明した手順と同様の手順によって、このレピータを送り先レピータとして設定し、交信に必要なデータを無線機１に送信して、記憶部１７に格納することができる。
【００９５】
ユーザが情報端末７で設定した相手局に対して、情報端末７で設定したレピータを用いて交信を行う場合、既に無線機１の記憶部１７には、交信の設定の際に必要となるデータ、すなわち送り先レピータ、送り元レピータ、送信先および送信元のそれぞれのコールサインが格納されている。更に記憶部１７には、図３に示す、レピータの情報を記載したテーブルＴが格納されている。従って、ユーザが操作部１５を操作して、記憶部１７からこれらのデータを読みすだけで交信を開始することができる。
【００９６】
なお、図６では、無線機１の近くにいる個人局を交信の相手局として設定する場合について説明した。これに対し、登録された相手局リストから交信の相手局を選択し、その相手局の位置情報に基づいて地図情報を取得し、その地図に表示されたレピータから送信先レピータを選択すれば、上述したのと同様の手順で、交信の際の設定を行うことができる。ただし、この場合、自宅に無線機が設置されている場合のように、相手局が移動ていしないことが前提となる。
【００９７】
以上説明したように、従来の無線機１では、交信をする際に必要な送り元のコールサイン等のデータを、操作部１５において文字や数値により入力しており、交信の際の設定操作が煩雑であった。これに対し、本発明のように情報端末７を入力インターフェースとして用いれば、画面に表示されたアイコンや文字等を指触するという簡単な操作を繰り返すだけで、交信に必要なデータを無線機１の記憶部１７に登録できるため、設定の際の操作を大幅に簡素化できる。
【００９８】
なお、本実施の形態においては、無線機１の記憶部１７にも図３の示したレピータのテーブルＴ、および上述した相手局リストが格納されており、制御部７１は、追加登録された相手局のデータを無線機１に送信する。無線機１に送信されたデータは、制御部１３の制御により、記憶部１７に格納された相手局リストに追加される。
【００９９】
このように、無線機１の記憶部１７と情報端末７の記憶部７５に、同一内容のテーブルＴと相手局リストを格納するのは、無線機１の入力インターフェースとして情報端末７を用いず、無線機単独で使用する場合に、交信に支障が出ないようにするためである。
【０１００】
また本実施の形態では、操作性や携帯性の観点より、無線の通信モジュール１４および７６を用いて、無線機１と情報端末７との相互通信を実現したが、無線機１と情報端末７とを有線で接続して相互通信を行ってもよいことは云うまでもない。
【符号の説明】
【０１０１】
１  無線機
６  インターネット
７  情報端末
８  公衆電話網
９  地図データサーバ
１０  ＧＰＳレシーバ
１１、７３  音声処理部
１２  送受信部
１３、７１  制御部
１４、７６  通信モジュール
１５  操作部
１６  ＰＴＴスイッチ
１７、７５  記憶部
１８  表示部
１９、７８  マイク
２０、７９  スピーカ
６１  プロバイダ
７２  無線通信部
７４  入力表示部
７７  内部バス
９１  データベース
１００  無線通信装置
Ｍ、Ｒ、Ｙ  アイコン
Ｂ１〜Ｂ３  ボタン
Ｄ１〜Ｄ４  ダイアログボックス
Ｗ１〜Ｗ３  ウィンドウ
【図１】
2015041932.tif 000003
【図３】
2015041932.tif 000004
【図７】
2015041932.tif 000005
【図８】
2015041932.tif 000006
【図２】
2015041932.tif 000007
【図４】
2015041932.tif 000008
【図５】
2015041932.tif 000009
【図６】
2015041932.tif 000010